(57)【要約】【課題】本発明はコンピュータ用の表示装置及びコンピュータ出力の表示方法に関し，表示画面を見ながら処理を行うコンピュータの処理に応じて表示されたビデオ情報を記録して，任意の時点で再生することを目的とする。【解決手段】コンピュータ本体からの表示のためのビデオ信号の出力が格納される第１のビデオメモリと第１のビデオメモリの読出し出力が入力される切替器と切替器の出力が入力されて表示を行う表示部と，第１のビデオメモリの読出し出力を記録するビデオ情報記録装置とビデオ情報記録装置から再生されるビデオ信号を格納し，読出し出力を切替器に供給する第２のビデオメモリとを備える。切替器を制御して一方の入力を選択する制御とビデオ情報記録装置の記録または再生の動作の制御を行うシステムコントローラへ制御指示を入力する指示部とを備えるよう構成する。【選択図】図１
2007257410.tif 000002
【特許請求の範囲】
【請求項１】
コンピュータ用の表示装置において，
コンピュータ本体からの表示のためのビデオ信号の出力が格納される第１のビデオメモリと，
前記第１のビデオメモリの読出し出力が入力される切替器と，
前記切替器の出力が入力されて表示を行う表示部と，
前記第１のビデオメモリの読出し出力を記録するビデオ情報記録装置と，
前記ビデオ情報記録装置から再生されるビデオ信号を格納し，読出し出力を前記切替器に供給する第２のビデオメモリと，
前記切替器を制御して一方の入力を選択する制御と前記ビデオ情報記録装置の記録または再生の動作の制御を行うシステムコントローラと，
前記システムコントローラの制御動作の制御指示を入力する指示部と，
を備えることを特徴とするコンピュータ用の表示装置。
【請求項２】
請求項１において，
前記ビデオ情報記録装置へ記録されるビデオ情報と関連した付随情報を，前記ビデオ情報の記録に連動して記録する付随情報記録装置を設けたことを特徴とするコンピュータ用の表示装置。
【請求項３】
請求項２において，
前記付随情報としてビデオメモリの録画中に前記指示部からマークを指定する入力があると，その時の時間情報とファイル情報とが前記付随情報記録装置に記録されることを特徴とするコンピュータ用の表示装置。
【請求項４】
請求項１において，
前記第１のビデオメモリの読出し出力をビデオ情報記録装置に入力する前段にデータ圧縮装置を設け，前記ビデオ情報記録装置から再生されたビデオ信号を前記第２のビデオメモリへ入力する前段に圧縮データを伸長する伸長装置を設けたことを特徴とするコンピュータ用の表示装置。
【請求項５】
コンピュータ本体から出力されたビデオ信号を第１のビデオメモリを介してビデオ情報記録装置に入力して記録すると共に切替器の一方の入力に供給し，
コンピュータ本体のビデオ信号を前記切替器を介して表示部で表示している時，表示内容を再度見たい場合，前記ビデオ情報記録装置を制御するシステムコントローラを指示部からの指示により再生動作の制御状態にし，
前記ビデオ情報記録装置から再生されたビデオ信号を第２のビデオメモリを介して前記切替器の他の入力に供給し，前記システムコントローラの再生動作の制御信号により前記切替器を前記ビデオ情報記録装置から再生されたビデオ信号が選択されて表示部へ出力するよう切替えられることを特徴するコンピュータ出力の表示方法。
【発明の詳細な説明】
【技術分野】
【０００１】
本発明は，パーソナルコンピュータ等のコンピュータ用の表示装置及びコンピュータ出力の表示方法に関する。
【背景技術】
【０００２】
従来のパーソナルコンピュータ等のコンピュータの表示装置は，ＣＰＵ及びデータやプログラムを格納したメモリ（ＲＡＭやＲＯＭ）を用い，操作者（または使用者）によるデータや指示の入力に応じてプログラムの処理が実行され，表示装置に処理の結果が表示される。このようにパーソナルコンピュータによる各種の処理は，表示装置に表示された画面を見ながら使用者が入力を行うことにより進められるが，操作者が誤って入力を行ったり，一定時間前に実行した処理画面の内容をもう一度確認したい場合が，時々発生する。
【０００３】
従来の映像信号を記録する装置として，テレビジョン信号を記録するＶＴＲや，ビデオカメラ等が知られており，図５は従来の映像信号記録再生装置の例（特許文献１参照）である。
【０００４】
図５において，８０はアンテナ，８１はチューナ，８２は復調器，８３は画像圧縮手段（ＭＰＥＧ１−ＥＮＣ），８４，８５は録画用バッファメモリ，８６はスイッチ１（ＳＷ−１），８７はハードディスク，８８，８９は再生用バッファメモリ，９０はスイッチ２（ＳＷ−２），９１は画像復号手段（ＭＰＥＧ１−ＤＥＣ），９２はテレビモニター，９３はハードディスクコントローラ，９４はテーブルＲＡＭ，９５はシステムコントローラ，９６はタイマー，９７は操作パネルである。
【０００５】
視聴者が予め見たい番組の，ＴＶチャネル，録画開始時刻，録画終了時刻を操作パネル９７でセットすると，システムコントローラ９５はタイマー９６の情報に基づいて，チューナ８１を設定し，アンテナ８０で受信した電波から設定されたチャネルの電波を選択し，復調器８２により復調してテレビモニター９２で表示すると共に，画像圧縮手段８３により圧縮し，その出力を録画用バッファメモリ８４または８５，スイッチ１（ＳＷ−１）８６を介してハードディスク８７に書き込む。この時，書き込まれた圧縮映像信号のハードディスク上の物理的位置を示す情報とその時刻情報の対応をテーブルＲＡＭ９４に記憶される。再生は，録画より後の時間に録画と並行して実行することができ，操作パネル９７で再生指示を行うと，テーブルＲＡＭ９４の情報に基づいてシステムコントローラ９５で制御することによって，ハードディスク８７に記録されている圧縮映像信号が画像復号手段９１でデコードされ映像信号となり，テレビモニター９２に表示される。
【特許文献１】特開平８−１３８３１８号公報
【発明の開示】
【発明が解決しようとする課題】
【０００６】
パーソナルコンピュータ等のコンピュータ（または情報処理装置）を用いて各種の業務が遂行されるようになっており，例えば，コンピュータのプログラムの開発，マニュアルの開発，顧客に対して案内を行う場合や，インターネットを介したサービスを受けている場合等において，情報処理装置を操作する人は画面を見ながら，その画面に対してマウスやキーボードにより入力を行い，その入力により情報処理が行われて画面が変化する。
【０００７】
さらに，例えばプログラムの使用手順を示すためコンピュータ上の操作手順を再現したい場合がある。その場合，従来はコンピュータ上で操作を行い，操作の過程で画面に映し出された画面データをソフトウェア的に保存する技術がある。保存したデータは例えば動画形式であり，その動作データを再生することにより，操作手順の再現を実現するが，その作業過程データの保存にはコンピュータ本体の能力と記録装置とを使用しており，プログラムの使用など本来の作業と，作業過程データの保存とを両立するには，コンピュータの性能によっては実行が困難な場合があった。
【０００８】
また，コンピュータ上で行う作業には，計算以外にも文書作成，プログラム開発及び情報閲覧などの種々のものがある。使用者の不注意で作業の誤りが発生し，どんな作業を行ったか確認したい場合がある。またプログラムを終了することで表示していた情報が消失し，再度情報を表示させる必要が生じる場合がある。こうした場合は，プログラムのやり直し機能を用いたり，作業を初めからやり直すことになる。
【０００９】
しかし，そのための手間が発生したり，機能の制限によってやり直しができないことがあり，作業が停滞する場合がある。
【００１０】
また，インターネット上の情報をウェブブラウザで閲覧している場合，過去に閲覧したことがあるウェブページを再び閲覧したい場合，ウェブブラウザの履歴機能等をもちいて過去に閲覧したウェブページを検索することになる。しかし，履歴に残る情報は文字情報（タイトル等）が基本であり，その情報が多い場合には，検索が困難となる。また，履歴情報のためにコンピュータ上の記録装置の容量を消費してしまうという問題がある。
【００１１】
このようにコンピュータの処理において表示装置の表示内容を，表示した後の時点で再度見たいという要求を満たす手段がなかった。
【００１２】
上記のような問題に対して，上記図５に示す従来の映像信号記録再生装置の技術は，テレビジョン信号の録画と再生を行うものであり，コンピュータにおける表示装置を用いた処理において，処理の過程を後から再度表示させたいという目的に対応する機能を備えるものではない。
【００１３】
本発明は表示画面を見ながら処理を行うコンピュータの処理に応じて表示部の表示画面に表示されたビデオ情報を記録して，任意の時点で再生することができるコンピュータ用の表示装置及びコンピュータ出力の表示方法を提供することを目的とする。
【課題を解決するための手段】
【００１４】
本発明は図１に構成例として示す構成を備え，コンピュータの処理により発生したビデオ信号を表示するためにコンピュータと独立して動作する表示装置を設け，表示装置にはコンピュータから出力されたビデオ情報をビデオメモリに格納して表示部に出力すると共にビデオ情報記録装置に記録し，そのビデオ情報記録装置への記録に関係する付随情報を記録する付随情報記録装置を設け，ビデオ情報記録装置に記録されたビデオ情報は使用者による指示部からの指示によりシステムコントローラが制御信号を発生し，コンピュータからのビデオ信号の表示状態からビデオ情報記録装置に記録したビデオ信号を表示するよう切替えて，以前に処理を行っていた時のコンピュータから出力された表示画面を再生することができる。ビデオ情報記録装置にビデオ情報が書き込まれる場合，時刻情報が同時に記録（蓄積）され，時刻情報を用いてビデオ情報の読出し（再生）位置を検索することができる。また，時刻情報とその時の処理で扱っているファイル名とを対応付けて付随情報記録装置に記録することにより，再生の時に時刻だけでなくファイル名を指定して再生を開始させるようにしてもよい。
【００１５】
すなわち，ビデオ情報記録装置に記録（蓄積）された中から，どの時点のコンピュータ出力画面（コンピュータ出力のビデオ情報）を見たいのかは，時間（日付を含む時計の時間だけでなく，現在から何秒前，何分前等の相対時間）を指定することにより読出す。また，ビデオ情報記録装置へ記録を行っている時に，コンピュータにより作成中の文書や，データの内容，特定の処理の状態，等の使用者が特に重要と思える画面が表示部に表示された時に，その時点をマークしたい場合は，指示部からマークすることにより付随情報記録装置にマークに対応した時刻を記録し，後でそのマークを指定することで対応する時刻のビデオ情報を再生することができる。
【００１６】
なお，ビデオ情報記録装置に記録されるビデオ信号はデジタル化され，記録されたビデオ信号の再生は使用者からの記録開始・終了，再生開始・停止等の指示を受け取ってビデオ情報記録装置，付随情報記録装置が制御され，表示部でのコンピュータ出力の表示か，再生出力の表示かの切替え制御が行われる。
【００１７】
また，ビデオ情報記録装置の記録を読出して再生する場合，コンピュータの処理過程の画面であるため静止画が多いが，動画像を扱う場合もあり動画，静止画の何れでも記録と再生を行うことができる。
【発明の効果】
【００１８】
本発明によれば，コンピュータの使用者が作業中に表示部に表示したビデオ情報（画面情報）を記録（蓄積）して，いつでも以前のビデオ情報を再生することができ，コンピュータを用いた各種の作業効率を向上することができる。また，表示装置におけるビデオ情報の記録，再生の処理にコンピュータ本体の処理能力を使用しないため，コンピュータ本体に負担をかけることなく安価な手段により記録，再生を効率良く実現することができる。
【００１９】
更に，コンピュータを運用する組織にとってコンピュータの故障等の不具合の発生に対して，記録された画面を再生することにより分析をすることが可能となる。更に，コンピュータを用いた業務を行う企業等において，コンピュータが正規に運用されているかのチェックを行う等の管理に応用することが可能となる。
【発明を実施するための最良の形態】
【００２０】
図１は本発明の構成例を示す図である。図中，１は表示装置，１０は指示部，１１はシステムコントローラ，１２はビデオ情報記録装置，１３は付随情報記録装置，１４はコンピュータ本体から出力されたビデオ信号を表示用信号として格納する第１のビデオメモリ，１５はビデオ情報記録装置１２から読出されたビデオ信号を表示信号として格納する第２のビデオメモリ，１６は第１のビデオメモリ１４と第２のビデオメモリ１５の何れの出力を表示させるかをシステムコントローラ１１の制御により切り替えを行う切替器，１７はコンピュータ本体から発生したビデオ情報を表示する表示部，２はパーソナルコンピュータ等のコンピュータ本体（ＣＰＵ，ＲＡＭ，ＲＯＭ，ハードディスク，及び表示装置を除いた入出力装置を含む）である。ビデオ情報記録装置１２は，ハードディスク装置を用いるか，またはフラッシュメモリ等のような交換可能な半導体記憶装置を使用することができる。
【００２１】
指示部１０はキーボードにより構成することができるが，表示部１７の一部に複数の機能に対応する機能ボタン（詳細は後述する図２に示す）を表示して，そのボタンを操作することにより制御を行うことができる。
【００２２】
図１の表示装置の動作を説明すると，パーソナルコンピュータ等のコンピュータ本体２は，ＣＰＵ，ＲＡＭ，ＲＯＭ，キーボード，マウス，ハードディスク等の各種の装置が直接またはインタフェースを通してバスにより相互に接続され，表示装置１はコンピュータ本体２の機能における表示機能を実現する。
【００２３】
コンピュータ本体２を使用して操作者が各種の処理を実行する場合，予め表示装置１の動作モードを指示するための指示部１０への入力により，ビデオ信号の記録開始・終了，再生開始・停止等の指示を行うと，その指示はシステムコントローラ１１に与えられ，システムコントローラ１１からの制御信号が関係する各装置に供給されることで，指示に応じた動作が実行される。
【００２４】
表示装置１が記録モードの場合，システムコントローラ１１の制御により切替器１６は第１のビデオメモリ１４の出力を選択する。この状態では，コンピュータ本体２から出力された表示用のビデオ信号は表示装置１の第１のビデオメモリ１４に格納され，その内容は切替器１６を通って表示部１７に供給されて表示が行われると共に，ビデオ情報記録装置１２に格納される。ビデオ情報記録装置１２へ記録されるビデオ情報に関連する情報も記録され，そのデータ構成は後述する図３に示す。なお，ビデオ情報記録装置１２へビデオ情報の記録を行うと，各ビデオ情報の記録位置（アドレス）に対応してその時の時刻情報が付随情報記録装置１３に記録され，その時のコンピュータにおいて処理しているファイル名も操作者が入力すれば，付随情報記録装置１３に時刻情報と対応付けて記録することができる。
【００２５】
図２は表示装置を操作するための機能ボタンを含む表示画面の構成を示す。図中，２０はビデオ情報の表示部分，２１〜２５は表示画面上に表示された使用者が操作するための機能ボタンであり，２１は記録または再生の開始ボタン，２２は記録または再生の停止ボタン，２３はモード指定ボタンであり，(1) 記録モードと再生モードの切替，(2) 保存ビデオ情報データの選択モード（ファイル名等），(3) はマーク選択モード, (4) 時刻選択モード（図２では各モードの指定ボタンが図示省略されている）等があり，これらのいずれかのモードが選択され，２４はカーソル移動ボタンであり，表示された複数のモードの中からカーソル移動ボタンを押すことでカーソルを所望のモードの位置に移動させるキーであり，２５は選択決定ボタンであり, モード指定ボタン２３で指定されたモードにおいて選択すべき一つの事項を決定するのに使用する。なお，ビデオ情報の記録動作中に，選択決定ボタン２５を押下すると，押下した時点の時刻が付随情報記録装置１３に記録されてマーク記録が実行される。
【００２６】
図３は付随情報記録装置に記録される情報の構成を示し，Ａ．とＢ．の２つの例を示す。Ａ．の場合，コンピュータの表示装置１に表示されると共にビデオ情報記録装置１２に格納されるビデオ情報（表示されるデータ）についてそのファイル名と，ビデオ信号を取得した時刻とを組にして記録したものである。Ｂ．の場合は，Ａ．の情報を記録した後のビデオ信号記録中に選択決定ボタン（図２の２５）を押下した時点の時刻が記録されるもので，コンピュータの操作者が必要と思う時点で，選択決定ボタンを押下する毎に，順番にマーク時刻１，マーク時刻２，…の時刻が登録される。
【００２７】
コンピュータの操作者が，現時点より以前に処理を行った時の画面を再現する必要が生じると，指示部１０からビデオ情報の再生を指示することにより，システムコントローラ１１は再生動作を行うための制御信号を各装置に発生する。この場合，上記した表示画面に表示した機能ボタンを操作し，後述する付随情報記録装置１３に記録された情報を用いて，再生したい時刻（時計時刻または現時点からの相対時刻，例えば何秒前），またはファイル名，またはマーク時刻（複数の中の一つ）を指示部１０から指定すると，付随情報記録装置１３の情報を用いてビデオ情報記録装置１２から指定した時点または，指定した時刻からのビデオ信号の再生を開始する。この場合，ビデオ情報記録装置１２から，記録されたビデオ情報が読出されて第２のビデオメモリ１５へ格納され，システムコントローラ１１の制御により切替器１６が第２のビデオメモリ１５の出力を選択するよう切替えられているため，表示部１７に第２のビデオメモリ１５の出力が表示される。
【００２８】
上記図３に示す付随情報記録装置に付随情報が記録された状態で，マーク時刻を指定して再生を行う場合，図２に示すモード指定ボタン２３により各種モードを表示し，カーソル移動ボタン２４で「(3) マーク選択モード」を指定して，選択決定ボタン２５を押下することで，マーク時刻を選択するモードとなり，このモードで付随情報記録装置１３から複数のマークを表示させてその中から所望の一つのマーク時刻を選択し，そのマーク時刻に対応して登録された時点からビデオ情報記録装置１２のビデオ信号を再生することができる。
【００２９】
また，上記図２に示す操作用の機能ボタンの中の再生動作において，モード指定ボタン２３を押下して，「(4) 時刻選択モード」を指定すると時刻選択モードで再生を行うことができる。このモードでは，任意の時刻を使用者が入力することが可能であり，指定した時刻からの表示画面内容を含むビデオ信号の再生をすることができる。なお，時刻の指定は指定部１０のテンキーで指定するか，あるいはテンキーを使わずに，「(4) 時刻選択モード」で画面上に日時を表す数字が表示され，カーソル移動ボタン２４と選択決定ボタン２５とを用いてそれらの数字を選択することにより時刻を指定すると，その時刻のビデオ信号の記録位置を付随情報記録装置１３から求める。その記録位置のビデオ情報記録装置１２から再生を開始する。
【００３０】
図４は本発明によるビデオ情報再生の動作フローである。最初に，付随情報記録装置に格納されたデータを表示部に表示し（図４のＳ１），表示すべきビデオ情報を決定し（同Ｓ２），表示ビデオ情報をビデオ情報記録装置から第２のビデオメモリに転送する（同Ｓ３）。次に第２のビデオメモリの内容が表示部に表示されるよう切替器を切り替えて（図４のＳ４），終了する。
【００３１】
本発明によるコンピュータ本体からのビデオ信号を記録する場合，第１のビデオメモリの読出し出力をビデオ情報記録装置へ転送する前にデータ圧縮装置によりデータ圧縮をして，ビデオ情報記録装置に記録し，ビデオ情報記録装置から再生したビデオ情報は第２のビデオメモリへ入力する前に伸長装置で圧縮データを伸長してから表示部で表示することでビデオ情報記録装置のメモリ容量を低減するか，長期（例えば，１週間）のビデオ情報の記録を実現することができる。
【００３２】
（付記１）  コンピュータ用の表示装置において，コンピュータ本体からの表示のためのビデオ信号の出力が格納される第１のビデオメモリと，前記第１のビデオメモリの読出し出力が入力される切替器と，前記切替器の出力が入力されて表示を行う表示部と，前記第１のビデオメモリの読出し出力を記録するビデオ情報記録装置と，前記ビデオ情報記録装置から再生されるビデオ信号を格納し，読出し出力を前記切替器に供給する第２のビデオメモリと，前記切替器を制御して一方の入力を選択する制御と前記ビデオ情報記録装置の記録または再生の動作の制御を行うシステムコントローラと，前記システムコントローラの制御動作の制御指示を入力する指示部と，を備えることを特徴とするコンピュータ用の表示装置。
【００３３】
（付記２）  付記１において，前記ビデオ情報記録装置へ記録されるビデオ情報と関連した付随情報を，前記ビデオ情報の記録に連動して記録する付随情報記録装置を設けたことを特徴とするコンピュータ用の表示装置。
【００３４】
（付記３）  付記２において，前記付随情報として，前記ビデオ情報記録装置に記録されるビデオ情報に関係するファイル名と時刻情報とを含むことを特徴とするコンピュータ用の表示装置。
【００３５】
（付記４）  付記２において，前記付随情報としてビデオメモリの録画中に前記指示部からマークを指定する入力があると，その時の時間情報とファイル情報とが前記付随情報記録装置に記録されることを特徴とするコンピュータ用の表示装置。
【００３６】
（付記５）  付記１において，前記ビデオ情報記録装置は交換可能な半導体メモリにより構成したことを特徴とするコンピュータ用の表示装置。
【００３７】
（付記６）  付記１において，前記第１のビデオメモリの読出し出力をビデオ情報記録装置に入力する前段にデータ圧縮装置を設け，前記ビデオ情報記録装置から再生されたビデオ信号を前記第２のビデオメモリへ入力する前段に圧縮データを伸長する伸長装置を設けたことを特徴とするコンピュータ用の表示装置。
【００３８】
（付記７）  コンピュータ本体から出力されたビデオ信号を第１のビデオメモリを介してビデオ情報記録装置に入力して記録すると共に切替器の一方の入力に供給し，コンピュータ本体のビデオ信号を前記切替器を介して表示部で表示している時，表示内容を再度見たい場合，前記ビデオ情報記録装置を制御するシステムコントローラを指示部からの指示により再生動作の制御状態にし，前記ビデオ情報記録装置から再生されたビデオ信号を第２のビデオメモリを介して前記切替器の他の入力に供給し，前記システムコントローラの再生動作の制御信号により前記切替器を前記ビデオ情報記録装置から再生されたビデオ信号が選択されて表示部へ出力するよう切替えられることを特徴するコンピュータ出力の表示方法。
【図面の簡単な説明】
【００３９】
【図１】本発明の構成例を示す図である。
【図２】表示装置を操作するための機能ボタンを含む表示画面の構成を示す図である。
【図３】付随情報記録装置に記録される情報の構成を示す図である。
【図４】本発明によるビデオ情報再生の動作フローである。
【図５】従来の映像信号記録再生装置の例を示す図である。
【符号の説明】
【００４０】
１          表示装置
１０        指示部
１１        システムコントローラ
１２        ビデオ情報記録装置
１３        付随情報記録装置
１４        第１のビデオメモリ
１５        第２のビデオメモリ
１６        切替器
１７        表示部
２          コンピュータ本体
【図１】
2007257410.tif 000003
【図２】
2007257410.tif 000004
【図３】
2007257410.tif 000005
【図４】
2007257410.tif 000006
【図５】
2007257410.tif 000007